(57)【要約】【課題】マラソンなどの案内のためのライン引きや、砂利の敷均しなどの検査、計測数字等の記入に使用する路面等のマーキング等の作業に適し、凹凸の激しい面に対しても予定したライン等に正確に線引きすることができる路面等のマーカを提供することを技術的課題としている。【解決手段】マーカ用粉末を収納する筒状収納体と、筒状収納体の先端に取り付けた、加圧により破断する易開放部と、易開放部を包被する繊維集合体製の筆先とを有することを特徴とする路面等のマーカ。【選択図】        図２
2004321220.tif 000002
【特許請求の範囲】
【請求項１】
マーカ用粉末を収納する筒状収納体と、筒状収納体の先端に取り付けた、加圧により破断する易開放部と、易開放部を包被する繊維集合体製の筆先とを有することを特徴とする路面等のマーカ。
【請求項２】
筒状収納体の先端に取り付けた、加圧により破断する易開放部が、繊維集合体製の膜状構造からなる請求項１記載の路面等のマーカ。
【請求項３】
易開放部の繊維集合体は硬質に構成され、筆先の繊維集合体は軟質に構成されている請求項１記載の路面等のマーカ。
【発明の詳細な説明】
【０００１】
【発明の属する技術分野】この発明は、マラソンなどの案内のためのライン引きや、砂利の敷均しなどの検査、計測数字等の記入に使用する路面等のマーカに関するものである。
【０００２】
【従来の技術】一般に、路面のセンターラインや歩道との境界線、交差点や横断歩道を示す白線等は、その上を走る車両の通過に伴なう磨耗等に耐える必要から、樹脂系の白線材料を加熱溶解した状態で路面上にマーキングすることにより形成されている。
【０００３】また、マラソンなどの案内のためのライン引きや、砂利の敷均しなどの検査、計測数字等の記入に使用する路面等のマーカとしては、実開平４−５１９８４号公報（特許文献１参照）に示すような、球技場等のグラウンド上に白線を引くための線引き等を転用し、線引きに充填した石灰粉末等を用いて路面上に引くことが多かった。
【０００４】
【特許文献１】実開平４−５１９８４号公報
【０００５】
【発明が解決しようとする課題】しかしながら、マラソンなどの案内のためのライン引きや、砂利の敷均しなどの検査、計測数字等の記入に使用する路面等のマーキング等の作業は、例えば道路を舗装したばかりの平坦な路面等への線引き作業と異なり、凹凸の激しい面に対して行う必要があるため、従来の線引きではかえって予定したライン等に正確に引くことが難しいという欠点があった。
【０００６】そこでこの発明は、マラソンなどの案内のためのライン引きや、砂利の敷均しなどの検査、計測数字等の記入に使用する路面等のマーキング等の作業に適し、凹凸の激しい面に対しても予定したライン等に正確に線引きすることができる路面等のマーカを提供することを技術的課題としている。
【０００７】
【課題を解決するための手段】この課題を解決するために、この発明の路面等のマーカは、マーカ用粉末を収納する筒状収納体と、筒状収納体の先端に取り付けた、加圧により破断する易開放部と、易開放部を包被する繊維集合体製の筆先とを有することを特徴とするものである。
【０００８】またこの発明の路面等のマーカは、上記筒状収納体の先端に取り付けた、加圧により破断する易開放部が、繊維集合体製の膜状構造からなることをも特徴としている。
【０００９】さらにこの発明の路面等のマーカは、上記易開放部の繊維集合体は硬質に構成され、筆先の繊維集合体は軟質に構成されていることをも特徴としている。
【００１０】この発明によれば、マラソンなどの案内のためのライン引きや、砂利の敷均しなどの検査、計測数字等の記入に使用する路面等のマーキング等の作業に適し、凹凸の激しい面に対しても予定したライン等に正確に線引きすることが可能な路面等のマーカを提供することができる。
【００１１】
【発明の実施の形態】以下、この発明の実施の形態を図面に基いて具体的に説明する。
図１はこの発明に係る路面等のマーカを示す斜視図、図２はその分解斜視図、図３は筆先を示す斜視図である。
【００１２】図１ないし図３において、この発明の路面等のマーカは、石灰等で構成されるマーカ用粉末１１を収納する筒状収納体１３と、筒状収納体１３の先端に取り付けた、加圧により破断する易開放部１５と、易開放部１５を包被する繊維集合体製の筆先１７とで構成されている。図中１９は外面に把手２１を取り付けた上キャップで筒状収納体１３の上部開口に着脱自在に取り付けられている。また２３は筆先１７に被せる先端キャップ、２５は筒状収納体の側面の取り付けたハンドルである。
【００１３】先ず、筒状収納体１３はプラスチックの成形品やＦＲＰ、アルミ等の軽金属、その他の軽量素材を使用して形成されている。そして、太い上部からテーパ状に細くなって先端の細い下部につながっている。すなわち、筒状収納体１３にその上部開口から充填されたマーカ用粉体１１は、細い下部に下降するにしたがって集められ、使い残しなく使用されるのである。
【００１４】筒状収納体１３の先端には、加圧により破断する易開放部１５が取り付けられている。この易開放部１５の素材としては、筆先１７と同様の繊維集合体を使用し、それを接着力の弱い接着剤で膜状構造に形成したものであることが望ましい。こうすると製作が容易であるばかりか、加圧によって簡単に破断するとともに、各繊維間が分離してマーカ用粉体１１が効率よく放出される。もちろん、紙や、破断しやすく１軸延伸等の加工を施したフィルム、アルミ箔等を使用してもよい。
【００１５】また筒状収納体１３の先端には、易開放部１５を包被するように繊維集合体製の筆先１７が取り付けられている。この筆先１７の素材としては、繊維集合体を使用する。なお、易開放部１５の繊維集合体は硬質に構成し、筆先１７の繊維集合体は軟質に構成すればよい。
【００１６】以上のように構成することによって、易開放部１５は加圧により破断しやすく、また筆先１７は路面等によくなじんで、マラソンなどの案内のためのライン引きや、砂利の敷均しなどの検査、計測数字等の記入に際し、凹凸の激しい面に対しても予定したライン等に正確に線引きすることができる。
【００１７】もちろん、易開放部１５や筆先１７等を構成する繊維集合体の個々の繊維としては、動物性や植物性の天然繊維、合成繊維、あるいはその他の繊維を使用することができる。
【００１８】以上のように構成したこの発明の路面等のマーカは、出発前あるいは現場で先ず筒状収納体１３の上部開口からマーカ用粉末を充填し、上キャップ１９を閉じて先端キャップ２３を外し、所定の位置において筆先１７とともに易開放部１５を加圧しながら、筆先１７で所定のラインや文字、数字等を路面等の上に描く。
【００１９】上記作業の当初、易開放部１５の繊維集合体の膜状構造が破断し、筆先１７の繊維集合体からスムーズにマーカ用粉末１１が放出される。その結果、マラソンなどの案内のためのライン引きや、砂利の敷均しなどの検査、計測数字等の記入を予定した通り正確に行なうことができる。
【００２０】
【発明の効果】この発明によれば、マラソンなどの案内のためのライン引きや、砂利の敷均しなどの検査、計測数字等の記入に使用する路面等のマーキング等の作業に適し、凹凸の激しい面に対しても予定したライン等に正確に線引きすることが可能な路面等のマーカを提供することができる。
【図面の簡単な説明】
【図１】この発明に係る路面等のマーカを示す斜視図である。
【図２】その分解斜視図である。
【図３】筆先を示す斜視図である。
【符号の説明】
１１  マーカ用粉末
１３  筒状収納体
１５  易開放部
１７  筆先
１９  上キャップ
２１  把手
２３  先端キャップ
２５  ハンドル
【図１】
2004321220.tif 000003
【図２】
2004321220.tif 000004
【図３】
2004321220.tif 000005